(57)【要約】【課題】      糸止め部の環状の糸挿通部から糸挾持部に糸の移動を容易にした釣り用仕掛けを提供することである。【解決手段】  釣り用仕掛けは、金属線材料で形成された糸止め部１と糸止め部１に一端基部が固定された逆針２と糸止め部１と逆針２の一端基部に固定された道糸３と道糸３に取り付けられた鼻環４と鼻環４から前側の道糸３とで構成され、糸止め部１の糸挾持部１ｄに針６付き仕掛け糸５の一端５ｂが挾持されて係止される。  糸止め部１は環状の糸挿通部１ａと糸挿通部１ａより小径の保持部１ｂと糸挿通部１ａから保持部１ｂの間の開口部１ｃと線材を２つ折りにして出来た折り返し部１ｆの内側の溝の糸挾持部１ｄで形成されている。  開口部１ｃの幅は保持部１ｂの幅（内径）より狭く形成されている。【選択図】        図２
2009100723.tif 000002
【特許請求の範囲】
【請求項１】
環状の糸挿通部に糸挾持部を一体に形成した糸止め部を有する釣り用仕掛けにおいて、前記糸止め部は環状の糸挿通部と糸挾持部の間に内方へ突出する湾曲部を介して前記糸挿通部より幅が狭い保持部を設けたことを特徴とする釣り用仕掛け。
【請求項２】
前記糸挿通部と前記保持部の間に保持部の幅より狭い開口部が形成されていることを特徴とする請求項１記載の釣り用仕掛け。
【発明の詳細な説明】
【技術分野】
【０００１】
本発明は、釣り糸を係止する釣り用仕掛けに関する。
【背景技術】
【０００２】
従来特許文献１のように、ハリス止めは、針金を２つ折りにした挾持部分と楕円形部分を一体に形成すると共に回転自在に連結したものが使用されている。
このハリス止めの挾持部分には仕掛けのハリスを挾持して係止しているが、楕円形部分と挾持部分は全長が長さ１ｃｍ程の小さい物であるから、楕円形部分にハリス（糸）を挿通して挾持部分に移動させる時本願図面図７の従来例のように、ハリス止め９の楕円形部分９ａの大きさに比較して挾持部分９ｂの位置は隅部にあるので、ハリス５（糸）が搖れて挾持部分に移動がしずらく、結び目５ｃ近傍にてハリス５を挾持して係止することが非常に難しい作業であった。
【特許文献１】実開平１−５９０７１号公報
【発明の開示】
【発明が解決しようとする課題】
【０００３】
解決しようとする問題点は、ハリス止めの楕円形部分にハリス（糸）を挿通して挾持部分に移動させる時ハリス（糸）が搖れて移動がしずらく、挾持して係止することが非常に難しい作業である欠点がある。
【０００４】
本発明の目的は前記欠点に鑑み、糸止め部の環状の糸挿通部から糸挾持部に糸の移動を容易にした釣り用仕掛けを提供することである。
【課題を解決するための手段】
【０００５】
本発明の請求項１は、環状の糸挿通部に糸挾持部を一体に形成した糸止め部を有する釣り用仕掛けにおいて、前記糸止め部は環状の糸挿通部と糸挾持部の間に内方へ突出する湾曲部を介して前記糸挿通部より幅が狭い保持部を設けたことを要旨とするものである。
本発明の請求項２は、前記糸挿通部と前記保持部の間に保持部の幅より狭い開口部が形成されていることを要旨とするものである。
【発明の効果】
【０００６】
本発明により、仕掛け糸の一端を糸挿通部に挿通し、糸挿通部より幅が狭い保持部に移動してから糸挾持部に挾持して係止するので、内径の大きい糸挿通部からすぐに狭い開口の糸挾持部に移動するより移動しやすくなり、移動作業や係止作業がやり易くなる。
【発明を実施するための最良の形態】
【０００７】
釣り用仕掛けは、金属線材料で形成された糸止め部１と糸止め部１に一端基部が固定された逆針２と糸止め部１と逆針２の一端基部に固定された道糸３と道糸３に取り付けられた鼻環４と鼻環４から前側の道糸３とで構成されている。
糸止め部１は環状の糸挿通部１ａと糸挿通部１ａより幅が狭い保持部１ｂと糸挿通部１ａから保持部１ｂの間の開口部１ｃと線材を２つ折りにして出来た糸挾持部１ｄで形成されている。
開口部１ｃの幅は保持部１ｂの幅（内径）より狭く形成されている。
糸止め部１の糸挾持部１ｄに挾持されて係止される針付き仕掛け糸５は他端５ａに針６が取り付けられている。
【実施例１】
【０００８】
以下、図示の実施例によって本発明を説明すると、図１から図４は第１実施例で、図１（ａ）は針付き仕掛け糸が係止された釣り用仕掛けをおとり鮎に装着した側面図で（ｂ）は針付き仕掛け糸が係止された釣り用仕掛けの側面図で（ｃ）は釣り用仕掛けの糸止め部と逆針の拡大側面図、図２は釣り用仕掛けに結び目のある仕掛け糸を挿通して糸挾持部に係止するまでの説明図で（ａ）は環状の糸挿通部に仕掛け糸を挿通した側面図で（ｂ）は保持部に仕掛け糸を移動した側面図で（ｃ）は糸挾持部に係止した側面図、図３は釣り用仕掛けの要部拡大平面図、図４は結び目のない仕掛け糸を環状の糸挿通部に挿通した後保持部から糸挾持部に係止した側面図である。
【０００９】
釣り用仕掛けは、金属等線材で形成された糸止め部１と糸止め部１に一端基部が固定された逆針２と糸止め部１と逆針２の一端基部に固定された道糸３と道糸３に取り付けられた鼻環４と鼻環４から前側の道糸３とで構成されている。
糸止め部１は金属等の線材を屈曲させて形成し、環状の糸挿通部１ａと糸挿通部１ａより幅が狭い保持部１ｂと糸挿通部１ａから保持部１ｂの間の開口部１ｃと線材を２つ折りにして出来た折り返し部１ｆの内側の溝Ｓ3 と糸挾持部１ｄで形成されている。
環状の糸挿通部１ａの糸の挿通空間Ｓ1 は開口部１ｃを介して糸挿通部１ａより幅狭に形成された環状の保持部１ｂの糸の挿通空間Ｓ2 に連通し、さらに糸挾持部１ｄの溝Ｓ3 に連通している。
そして糸挿通部１ａの糸の挿通空間Ｓ1 の左右の幅Ｈ1 より保持部１ｂの糸の挿通空間Ｓ2 の左右の幅Ｈ2 は狭く形成されている。
糸挿通部１ａから保持部１ｂに変移する部分の線材は内方側（糸挿通空間Ｓ1 、Ｓ2 側）へ突出する湾曲部Ｗが左右両側に対向するように形成されて保持部１ｂの糸の挿通空間Ｓ2 の開口部１ｃが形成され、開口部１ｃの幅は保持部１ｂの幅（内径）Ｈ2
より狭く形成されている。
糸止め部１の糸挾持部１ｄに挾持されて係止される針付き仕掛け糸５は他端５ａに針６が取り付けられている。
図１から図３の仕掛け糸５の一端５ｂには結び目５ｃが形成される。
糸止め部１の全長は約１ｃｍ程度で、保持部１ｂの内径寸法は糸挾持部１ｄに近づくにつれて幅狭になるように形成されている。
【００１０】
おとり鮎７に釣り用仕掛けが取り付けられる時は、鼻環４がおとり鮎７の鼻孔に通され、逆針２が腹部に掛け止めされる。
糸止め部１の糸挾持部１ｄに針付き仕掛け糸５の一端５ｂが挾持されて係止される時は、図２のように、結び目５ｃのある仕掛け糸５の一端５ｂが環状の糸挿通部１ａに挿通された後、糸挿通部１ａから開口部１ｃを通して保持部１ｂに移動される。
仕掛け糸５は糸挿通部１ａの糸の挿通空間Ｓ1 に容易に挿通でき、幅が狭い開口部１ｃを介して保持部１ｂの糸の挿通空間Ｓ2 に挿通される。
仕掛け糸５が糸挿通部１ａ側に戻ってしまうことが防止され、結び目５ｃや一端５ｂが保持部１ｂ（保持部１ｂを形成する線材）に当たって仕掛け糸５が保持部１ｂ内に挿通された状態が維持される。
保持部１ｂに移動された一端５ｂの結び目５ｃが保持部１ｂの内径寸法より大きい時は仕掛け糸５の針６側の他端５ａを図で右側に引くことで一端５ｂが糸挾持部１ｄに挾持されて係止される。
仕掛け糸５の一端５ｂに結び目がない時や結び目が保持部１ｂの内径寸法より小さい時は、図４のように仕掛け糸５の一端５ｂを環状の糸挿通部１ａから開口部１ｃを通して保持部１ｂに移動した後手の指で保持部１ｂを上下より挟み、一端５ｂを保持部１ｂの上縁に押し当てるようにして仕掛け糸５の針６側の他端５ａを図で右側に引くことで一端５ｂが糸挾持部１ｄに挾持されて係止される。
【００１１】
前記のように釣り用仕掛けが構成されると、仕掛け糸５の一端５ｂを糸止め部１の環状の糸挿通部１ａより幅が狭い保持部１ｂに移動してから糸挾持部１ｄに挾持して係止するので、内径の大きい糸挿通部１ａから容易に仕掛け糸５を挿通でき、狭い開口の糸挾持部１ｄに移動するより仕掛け糸５が糸挾持部１ｄの近傍で保持されるため糸挾持部１ｄへの移動作業や係止作業がやり易くなる。
【実施例２】
【００１２】
図５は第２実施例で、図５は釣り用仕掛けの糸止め部の拡大側面図である。
【００１３】
第２実施例の釣り用仕掛けの糸止め部１′は、金属線材料で形成されている。  糸止め部１′は環状の糸挿通部１ａと糸挿通部１ａより幅が狭いＵ字形の保持部１ｅと金属線材を２つ折りにして出来た糸挾持部１ｄで形成されている。
糸止め部１′の糸挾持部１ｄに挾持されて係止される針付き仕掛け糸５は他端５ａに針６が取り付けられている。
保持部１ｅがＵ字状に形成され、左右の線材が平行に配されて幅Ｈ2 が長手方向に同一に形成されると仕掛け糸５を糸挾持部１ｄに誘導しやすくなる。
他の構成は前記第１実施例と略同一である。
【００１４】
第２実施例で糸挾持部１ｄに針付き仕掛け糸５の一端５ｂを挾持させる時状況に応じて手の指で保持部１ｅを挟んで挾持してもよい。
【実施例３】
【００１５】
図６は第３実施例で、図６は撚り戻しに糸止め部が取り付けられた拡大側面図である。
【００１６】
第３実施例の釣り用仕掛けに用いる撚り戻しの糸止め部１は、金属線材料で形成されて連結筒８の一端に回転自在に取り付けられ、連結筒８の他端には道糸が連結されるリング１０が回転自在に取り付けられている。
糸止め部１は環状の糸挿通部１ａと糸挿通部１ａより小径の保持部１ｂと糸挿通部１ａから保持部１ｂの間の開口部１ｃと保持部１ｂの開口部１ｃとは反対側に金属線材を２つ折りにして出来た糸挾持部１ｄで形成されている。
糸止め部１の糸挾持部１ｄには針付き仕掛け糸５の一端５ｂが挾持されて係止されている。
他の構成は前記第１実施例と略同一である。
【産業上の利用可能性】
【００１７】
前記説明では、釣り用仕掛けの全般に利用できる。
【図面の簡単な説明】
【００１８】
【図１】第１実施例で、（ａ）は針付き仕掛け糸が係止された釣り用仕掛けをおとり鮎に装着した側面図で（ｂ）は針付き仕掛け糸が係止された釣り用仕掛けの側面図で（ｃ）は釣り用仕掛けの糸止め部と逆針の拡大側面図である。
【図２】同釣り用仕掛けに結び目のある仕掛け糸を挿通して糸挾持部に係止するまでの説明図で（ａ）は環状の糸挿通部に仕掛け糸を挿通した側面図で（ｂ）は保持部に仕掛け糸を移動した側面図で（ｃ）は糸挾持部に係止した側面図である。
【図３】同釣り用仕掛けの要部拡大平面図である。
【図４】同結び目のない仕掛け糸を環状の糸挿通部に挿通した後保持部から糸挾持部に係止した側面図である。
【図５】第２実施例で、釣り用仕掛けの糸止め部の拡大側面図である。
【図６】第３実施例で、撚り戻しに糸止め部が取り付けられた拡大側面図である。
【図７】従来例の説明図である。
【符号の説明】
【００１９】
１、１′  糸止め部
１ａ  糸挿通部
１ｂ、１ｅ  保持部
１ｃ  開口部
１ｄ  糸挾持部
５  仕掛け糸
【図１】
2009100723.tif 000003
【図２】
2009100723.tif 000004
【図３】
2009100723.tif 000005
【図４】
2009100723.tif 000006
【図５】
2009100723.tif 000007
【図６】
2009100723.tif 000008
【図７】
2009100723.tif 000009